(57)【要約】【課題】蓄電池モジュールの設置作業を容易かつ確実に行い得る蓄電池ユニットを提供する。【解決手段】蓄電池ユニット１００は、蓄電池モジュール１と、蓄電池モジュール１を収納する直方体状または立方体状をなす筐体２０とを備えている。筐体２０は、上部開口２０１ａを備える本体部２０１を有し、蓄電池モジュール１を上部開口２０１ａを介して本体部２０１内に設置するように構成され、筐体２０の高さをＸ１［ｍｍ］とし、筐体２０を設置する空間Ｓの高さをＸ２［ｍｍ］としたとき、Ｘ２／Ｘ１が１．５〜３．５である。また、Ｘ２とＸ１との差（Ｘ２−Ｘ１）が３００〜１，５００であることが好ましい。【選択図】図１４
2018195428.tif 000002
【特許請求の範囲】
【請求項１】
蓄電池モジュールと、
該蓄電池モジュールを収納する直方体状または立方体状をなす筐体とを備え、
該筐体は、上部開口を備える本体部を有し、前記蓄電池モジュールを前記上部開口を介して前記本体部内に設置するように構成され、
前記筐体の高さをＸ１［ｍｍ］とし、前記筐体を設置する空間の高さをＸ２［ｍｍ］としたとき、Ｘ２／Ｘ１が１．５〜３．５であることを特徴とする蓄電池ユニット。
【請求項２】
Ｘ２−Ｘ１が３００〜１，５００である請求項１に記載の蓄電池ユニット。
【請求項３】
当該蓄電池ユニットは、さらに、前記蓄電池モジュールに着脱自在に取り付けられるハンドルを備え、
該ハンドルを取り付けた状態の前記蓄電池モジュールの最大高さをＸ３［ｍｍ］としたとき、（Ｘ２−Ｘ１）／Ｘ３が１．５〜３．５である請求項１または２に記載の蓄電池ユニット。
【請求項４】
前記筐体の側壁には、貫通孔が形成されており、
当該蓄電池ユニットは、さらに、前記筐体の側壁を覆い隠すように、前記筐体に着脱自在に取り付けられる化粧カバーを備える請求項１ないし３のいずれかに記載の蓄電池ユニット。
【請求項５】
前記化粧カバーを前記筐体に取り付けた状態で、前記筐体と前記化粧カバーとの合計の幅をＹ１［ｍｍ］とし、前記筐体を設置する空間の幅をＹ２［ｍｍ］としたとき、Ｙ２／Ｙ１が１．０５〜１．５である請求項１ないし４のいずれかに記載の蓄電池ユニット。
【請求項６】
Ｙ２−Ｙ１が３０〜１５０である請求項５に記載の蓄電池ユニット。
【請求項７】
当該蓄電池ユニットは、さらに、前記筐体に対して出没自在に設けられたメジャーを備える請求項１ないし６のいずれかに記載の蓄電池ユニット。
【請求項８】
前記本体部の底部外面には、前記空間を規定する床面に対する摺動性を向上させるための処理が施されている請求項１ないし７のいずれかに記載の蓄電池ユニット。
【請求項９】
当該蓄電池ユニットは、さらに、前記筐体の前記本体部の底部から鉛直下方に向かって突出して設けられた複数のキャスターを備える請求項１ないし８のいずれかに記載の蓄電池ユニット。
【請求項１０】
前記本体部の底部には、複数の底部開口が形成されており、
前記本体部は、さらに、その内側から前記底部開口をそれぞれ塞ぐように前記底部に着脱自在に固定される複数の板片を備え、
前記キャスターが前記板片に取り付けられている請求項９に記載の蓄電池ユニット。
【発明の詳細な説明】
【技術分野】
【０００１】
本発明は、蓄電池ユニットに関する。
【背景技術】
【０００２】
一般に、蓄電池ユニットは、蓄電池モジュールを筐体に収納して構成されている（例えば、特許文献１参照）。蓄電池ユニットを設置する空間の大きさに対して、筐体の大きさが大き過ぎると、空間を規定する壁や天井と筐体との間に形成される隙間の大きさが小さくなる。その結果、筐体内に蓄電池モジュールを設置する作業が困難となる。
【先行技術文献】
【特許文献】
【０００３】
【特許文献１】特開２０１７−５０２７号公報
【発明の概要】
【発明が解決しようとする課題】
【０００４】
本発明の目的は、蓄電池モジュールの設置作業を容易かつ確実に行い得る蓄電池ユニットを提供することにある。
【課題を解決するための手段】
【０００５】
このような目的は、下記の（１）〜（１０）の本発明により達成される。
（１）  蓄電池モジュールと、
該蓄電池モジュールを収納する直方体状または立方体状をなす筐体とを備え、
該筐体は、上部開口を備える本体部を有し、前記蓄電池モジュールを前記上部開口を介して前記本体部内に設置するように構成され、
前記筐体の高さをＸ１［ｍｍ］とし、前記筐体を設置する空間の高さをＸ２［ｍｍ］としたとき、Ｘ２／Ｘ１が１．５〜３．５であることを特徴とする蓄電池ユニット。
【０００６】
（２）  Ｘ２−Ｘ１が３００〜１，５００である上記（１）に記載の蓄電池ユニット。
【０００７】
（３）  当該蓄電池ユニットは、さらに、前記蓄電池モジュールに着脱自在に取り付けられるハンドルを備え、
該ハンドルを取り付けた状態の前記蓄電池モジュールの最大高さをＸ３［ｍｍ］としたとき、（Ｘ２−Ｘ１）／Ｘ３が１．５〜３．５である上記（１）または（２）に記載の蓄電池ユニット。
【０００８】
（４）  前記筐体の側壁には、貫通孔が形成されており、
当該蓄電池ユニットは、さらに、前記筐体の側壁を覆い隠すように、前記筐体に着脱自在に取り付けられる化粧カバーを備える上記（１）ないし（３）のいずれかに記載の蓄電池ユニット。
【０００９】
（５）  前記化粧カバーを前記筐体に取り付けた状態で、前記筐体と前記化粧カバーとの合計の幅をＹ１［ｍｍ］とし、前記筐体を設置する空間の幅をＹ２［ｍｍ］としたとき、Ｙ２／Ｙ１が１．０５〜１．５である上記（１）ないし（４）のいずれかに記載の蓄電池ユニット。
【００１０】
（６）  Ｙ２−Ｙ１が３０〜１５０である上記（５）に記載の蓄電池ユニット。
【００１１】
（７）  当該蓄電池ユニットは、さらに、前記筐体に対して出没自在に設けられたメジャーを備える上記（１）ないし（６）のいずれかに記載の蓄電池ユニット。
【００１２】
（８）  前記本体部の底部外面には、前記空間を規定する床面に対する摺動性を向上させるための処理が施されている上記（１）ないし（７）のいずれかに記載の蓄電池ユニット。
【００１３】
（９）  当該蓄電池ユニットは、さらに、前記筐体の前記本体部の底部から鉛直下方に向かって突出して設けられた複数のキャスターを備える上記（１）ないし（８）のいずれかに記載の蓄電池ユニット。
【００１４】
（１０）  前記本体部の底部には、複数の底部開口が形成されており、
前記本体部は、さらに、その内側から前記底部開口をそれぞれ塞ぐように前記底部に着脱自在に固定される複数の板片を備え、
前記キャスターが前記板片に取り付けられている上記（９）に記載の蓄電池ユニット。
【発明の効果】
【００１５】
本発明によれば、筐体の高さと筐体を設置する空間の高さとが所定の関係を満足することにより、蓄電池モジュールを上部開口を介して筐体の本体部内に設置する作業を容易かつ確実に行うことができる。
【図面の簡単な説明】
【００１６】
【図１】本発明の蓄電池ユニットを示す分解斜視図である。
【図２】蓄電池モジュールの斜視図である。
【図３】図２に示す蓄電池モジュールの平面図（ａ）、側面図（ｂ）、前面図（ｃ）および底面図（ｄ）である。
【図４】蓄電池本体の分解斜視図である。
【図５】係合部を拡大して示す断面図である。
【図６】係合部の他の構成例を示す断面図である。
【図７】筐体の本体部に蓄電池モジュールを設置する作業の過程を示す平面図である。
【図８】ハンドルを固定した状態の蓋部の底面図である。
【図９】モジュールの配置方法を示す斜視図である。
【図１０】モジュールの配置方法を示す斜視図である。
【図１１】化粧カバーを筐体に装着する前の状態を示す斜視図である。
【図１２】板材を枠材に固定する前の状態を示す斜視図である。
【図１３】化粧カバーを筐体に装着した状態を示す斜視図である。
【図１４】蓄電池ユニットを設置すべき空間に配置した状態を示す正面図である。
【図１５】メジャーを備える筐体を示す側面図である。
【図１６】キャスターを備える筐体を示す側面図（ａ）および平面図（ｂ）である。
【図１７】キャスターを備える筐体を示す側面図（ａ）および平面図（ｂ）である。
【発明を実施するための形態】
【００１７】
以下、本発明の蓄電池ユニットについて、添付図面に示す好適実施形態に基づいて詳細に説明する。
【００１８】
図１は、本発明の蓄電池ユニットを示す分解斜視図、図２は、蓄電池モジュールの斜視図、図３は、図２に示す蓄電池モジュールの平面図（ａ）、側面図（ｂ）、前面図（ｃ）および底面図（ｄ）、図４は、蓄電池本体の分解斜視図、図５は、係合部を拡大して示す断面図、図６は、係合部の他の構成例を示す断面図、図７は、筐体の本体部に蓄電池モジュールを設置する作業の過程を示す平面図、図８は、ハンドルを固定した状態の蓋部の底面図、図９および図１０は、それぞれモジュールの配置方法を示す斜視図である。
【００１９】
なお、各図では、その特徴を判り易くするために、便宜上、特徴となる部分を拡大して示している場合があり、各構成要素の寸法比率等は、実際とは異なる場合がある。また、以下に例示される材料、寸法等は一例であって、本発明は、それらに限定されるものではなく、その要旨を変更しない範囲で適宜変更して実施することが可能である。
【００２０】
以下では、説明の都合上、図１〜図４、図９および図１０中の右側を「前側」または「前方」と、左側を「後側」または「後方」と言う。また、図１〜図６、図９および図１０中の上側を「上側」または「上方」と、上側を「下側」または「下方」と言う。
【００２１】
図１に示す蓄電池ユニット１００は、複数の蓄電池モジュール１と、複数の蓄電池モジュール１を制御する制御モジュール１０と、複数の蓄電池モジュール１および制御モジュール１０を積み重ねた状態で収納可能な筐体２０とを有している。
【００２２】
各蓄電池モジュール１は、図２および図３に示すように、積層部２と電気接続部３とを備える蓄電池本体４と、蓄電池本体４の側部に設けられた一対のブラケット部材５とを有しており、２つのハンドル６が一対のブラケット部材５に着脱自在に取付可能となっている。
【００２３】
図４に示すように、積層部２は、複数のシート状の蓄電池セル２１を備え、２つの蓄電池セル２１が１つの枠状の支持枠２２内に収納されている。各蓄電池セル２１は、例えば、リチウムイオン二次電池で構成することができる。
【００２４】
また、積層部２は、その最上部に配置された天板２３と、最下部に配置された底板２４とを備えている。
すなわち、本実施形態の積層部２は、底板２４、２つの蓄電池セル２１を収納した複数の支持枠２２および天板２３が、この順で積層されて構成されている。
【００２５】
支持枠２２、天板２３および底板２４は、それぞれ比較的硬質の樹脂材料で構成されている。かかる樹脂材料としては、特に限定されないが、例えば、ポリカーボネート、ＡＢＳ等が挙げられる。
また、積層部２を構成する各部の平面視形状は、長方形状をなしており、積層部２および蓄電池本体４（蓄電池モジュール１）は、直方体状（長尺状）をなしている。
【００２６】
図２および図３に示すように、天板２３の上面には、その長手方向に沿って複数の円環状の上面凸部（第１の係合部）２３１が形成され、一方、底板２４の下面には、その長手方向に沿って複数の円環状の下面凸部（第２の係合部）２４１が形成されている。
【００２７】
下面凸部２４１の内径は、上面凸部２３１の外径より若干大きく設定されている。このため、図５に示すように、複数の蓄電池モジュール１を積み重ねた際に、上面凸部２３１が対応する下面凸部２４１の内側に挿入され、これらが係合する。これにより、上下２つの蓄電池モジュール１が位置決めされる。
【００２８】
また、この状態で、上下２つの蓄電池モジュール１の間には隙間が形成される。このため、蓄電池本体４（蓄電池セル２１）が発熱しても、その熱が蓄電池モジュール１同士の間に滞留することなく、これらの間の隙間を介して効率よく排出される。これにより、蓄電池モジュール１が蓄熱し、誤作動すること等を防止することができる。
【００２９】
ここで、上面凸部２３１の外径をＲ１［ｍｍ］とし、下面凸部２４１の内径をＲ２［ｍｍ］としたとき、Ｒ２−Ｒ１は、０．０１〜１程度であることが好ましく、０．０５〜０．７５程度であることがより好ましい。Ｒ１とＲ２とが前記関係を満足することにより、上面凸部２３１を下面凸部２４１に挿入および抜去し易くなるとともに、上下２つの蓄電池モジュール１の固定状態が良好となる。
【００３０】
上面凸部２３１の外径Ｒ１の具体的な値は、特に限定されないが、４０〜８０ｍｍ程度であることが好ましく、５５〜６５ｍｍ程度であることがより好ましい。一方、下面凸部２４１の内径Ｒ２の具体的な値も、特に限定されないが、４０〜８０ｍｍ程度であることが好ましく、５５〜６５ｍｍ程度であることがより好ましい。
【００３１】
また、図３（ｂ）に示すように、上面凸部２３１および下面凸部２４１は、それぞれ蓄電池モジュール１の側面視において、ブラケット部材５から突出している。これにより、複数の蓄電池モジュール１を積み重ねた際に、上側の蓄電池モジュール１の下面と下側の蓄電池モジュール１の上面とが直接接触することを防止して、上下２つの蓄電池モジュール１の間に隙間を確実に形成することができる。
【００３２】
上面凸部２３１および下面凸部２４１の高さは、互いにほぼ等しく設定され、０．５〜１０ｍｍ程度であることが好ましく、１〜３ｍｍ程度であることがより好ましい。
また、上面凸部２３１および下面凸部２４１の幅（厚さ）も、互いにほぼ等しく設定され、０．５〜１０ｍｍ程度であることが好ましく、１〜３ｍｍ程度であることがより好ましい。
【００３３】
さらに、図５に示すように、上面凸部２３１および下面凸部２４１は、頂部の外周側が切り欠かれ、テーパ面が形成されている。これにより、下側の蓄電池モジュール１の上面凸部２３１と上側の蓄電池モジュール１の下面凸部２４１との係合操作をより円滑に行うことができるようになっている。
【００３４】
なお、上面凸部２３１および下面凸部２４１の形状は、円環状に限らず、例えば、楕円環状、三角環状、四角環状、六角環状、星環状等であってもよい。
また、本実施形態とは逆に、上面凸部２３１の内径を、下面凸部２４１の外径より若干大きく設定するようにしてもよい。
【００３５】
さらに、第１の係合部と第２の係合部との組み合わせは、円環状の凸部２３１と円環状の凸部２４１との組み合わせの他、例えば、円環状の凸部２３１と外形が円形状の凹部２４１との組み合わせ（図６（ａ）参照）、外形が円形状（円柱状）の凸部２３１と円環状の凸部２４１との組み合わせ（図６（ｂ）参照）、外形が円形状（円柱状）の凸部２３１と外形が円形状の凹部２４１との組み合わせ（図６（ｃ）参照）、またはこれらの逆の構成等であってもよい。かかる構成によっても、前記と同様の効果が得られる。
【００３６】
また、第１の係合部と第２の係合部とは、それぞれ１つのみ設けるようにしてもよいが、複数個設けることにより、蓄電池モジュール１同士の前後および左右の位置決めをより正確に行うことができる。
【００３７】
図３（ａ）および（ｄ）に示すように、天板２３の上面には、上面凸部２３１に加え、格子状に配列された複数の上面リブ２３２が形成され、一方、底板２４の下面には、下面凸部２４１に加え、格子状に配列された複数の下面リブ２４２が形成されている。
上面リブ２３２の高さは、上面凸部２３１の高さより小さく設定され、また、下面リブ２４２の高さは、下面凸部２４１の高さより小さく設定されている。
【００３８】
このため、下側の蓄電池モジュール１の上面凸部２３１と上側の蓄電池モジュール１の下面凸部２４１とを係合させたとき、図５に示すように、上側の蓄電池モジュール１の下面凸部２４１が下側の蓄電池モジュール１の上面リブ２３２に当接し、下側の蓄電池モジュール１の上面凸部２３１が上側の蓄電池モジュール１の下面リブ２４２に当接する。
【００３９】
これにより、上側の蓄電池モジュール１の下面凸部２４１の頂面全体が下側の蓄電池モジュール１の上面に密接することを防止し、下側の蓄電池モジュール１の上面凸部２３１の頂面全体が上側の蓄電池モジュール１の下面に密接することを防止することができる。
【００４０】
このため、上面凸部２３１と下面凸部２４１とで画成される内側空間が、上面凸部２３１の外周面と下面凸部２４１の内周面との間の微小間隙を介して、下面凸部２４１より外側の空間と確実に連通するようになる。したがって、蓄電池本体４（蓄電池セル２１）が発熱しても、その熱が上面凸部２３１と下面凸部２４１とで画成される内側空間に滞留することなく、効率よく排出される。
【００４１】
また、上側の蓄電池モジュール１と下側の蓄電池モジュール１との係合（固定）が必要以上に強固となることを防止して、下側の蓄電池モジュール１から上側の蓄電池モジュール１を取り外す際には、その操作を円滑に行うことができる。
さらに、上面リブ２３２を設けることにより、天板２３を補強し。下面リブ２４２を設けることにより、底板２４を補強して、天板２３および底板２４の機械的強度を向上させることもできる。
【００４２】
上面リブ２３２および下面リブ２４２の高さも、互いにほぼ等しく設定され、上面凸部２３１および下面凸部２４１の高さの１／２０〜１／２程度であることが好ましく、１／１５〜１／５程度であることがより好ましい。
なお、上面リブ２３２および下面リブ２４２の高さの具体的な値は、特に限定されないが、０．１〜５ｍｍ程度であることが好ましく、０．３〜１．２ｍｍ程度であることがより好ましい。
【００４３】
また、上面リブ２３２および下面リブ２４２の幅（太さ）も、特に限定されないが、０．１〜５ｍｍ程度であることが好ましく、０．３〜１．２ｍｍ程度であることがより好ましい。
なお、本実施形態では、上面リブ２３２および下面リブ２４２は、それぞれ蓄電池モジュール１（天板２３および底板２４）の長手方向および短手方向に沿って形成されているが、長手方向および短手方向に対して傾斜するように形成されていてもよい。
【００４４】
また、上面リブ２３２および下面リブ２４２は、それぞれ天板２３および底板２４の全面にわたって形成されているが、上面凸部２３１および下面凸部２４１の近傍の一部の領域にのみ形成されてもよい。例えば、上面リブ２３２は、上面凸部２３１の外側を取り囲む領域のみに形成することができ、下面リブ２４２は、下面凸部２４１の内側の領域のみに形成することができる。
【００４５】
各蓄電池セル２１は、図４に示すように、その前方および後方に設けられた一対の端子用タブ２１１を備えている。積層部２の組立状態において、複数の端子用タブ２１１は、積層部２から突出している。
【００４６】
積層部２の前方端部および後方端部には、複数の端子用タブ２１１に電気的に接続されるように、電気接続部３が設けられている。また、前方の電気接続部３の前面には、ケーブルを接続するための２つのコネクタ３１、３２が設けられている。
【００４７】
このような蓄電池本体４の長手方向の両側部には、一対のブラケット部材５が設けられている。すなわち。一対のブラケット部材５は、蓄電池本体４を介して対向配置されている。この状態で、コネクタ３１、３２は、一対のブラケット部材５同士の間で、前方に突出している。
【００４８】
図２に示すように、各ブラケット部材５は、蓄電池本体４の側面、上面縁部、下面縁部、前面縁部および後面縁部を覆う枠状の本体部５１と、本体部５１の前端上下で内側に突出する一対の板片５２と、本体部５１の後端上下で内側に突出する一対の板片５３とを備えている。
【００４９】
各板片５２、５３は、本体部５１と一体的に形成され、その所定の箇所には、複数の貫通孔５２１、５３１が形成されている。一対のブラケット部材５を蓄電池本体４の両側部に取り付け、ネジを貫通孔５２１、５３１に挿通して、蓄電池本体４（本実施形態では、電気接続部３）の所定の箇所に設けられたネジ穴に螺合させることにより、これらを互いに固定することができる。
【００５０】
この状態で、一対のブラケット部材５により、蓄電池本体４が分解するのを阻止することができる。すなわち、積層部２と電気接続部３とが互いに分離することや、蓄電池セル２１、支持枠２２、天板２３および底板２４が互いに分離することを阻止することができる。
【００５１】
なお、蓄電池本体４を構成する各部を、例えば、接着剤による接着、ネジ止め等してもよいが、一対のブラケット部材５により、蓄電池本体４の各部を一括して固定すれば、蓄電池モジュール１の構成の簡素化を図るとともに、製造コストを低減することもできる。また、蓄電池モジュール１のメンテナンスの際に、蓄電池本体４を分解することも容易になる。
【００５２】
このようなブラケット部材５は、所定の形状に加工された一枚の板材を折り曲げることにより作製することができる。ブラケット部材５の構成材料としては、特に限定されないが、例えば、アルミニウムまたはアルミニウム合金、ステンレス鋼、鉄等が挙げられる。かかる材料でブラケット部材５を構成することにより、ブラケット部材５を介した放熱効果も期待できる。
【００５３】
図２に示すように、一対のブラケット部材５のうちの紙面手前側のブラケット部材５の前端には、前方に向かって突出する板片５１１が設けられている。この板片５１１は、図３（ｂ）に示すように、蓄電池モジュール１の側面視において、コネクタ３１、３２に重なるような大きさを有している。このため、蓄電池モジュール１の移動作業や設置作業の際に、他の部材が接触して、コネクタ３１、３２が破損するのを防止することができる。
【００５４】
各ブラケット部材５の蓄電池本体４の側面を覆う部分には、２つの長尺の大開口５１２が形成されている。このため、一対のブラケット部材５を蓄電池本体４の両側部に取り付けた状態で、積層部２の側面が大開口５１２から外部に露出する。これにより、蓄電池本体４（蓄電池セル２１）が発熱しても、その熱を蓄電池モジュール１外に効率よく排出することができる。
【００５５】
また、各ブラケット部材５の蓄電池本体４の上面縁部および下面縁部を覆う部分には、それぞれ、その長手方向に沿って複数（本実施形態では６個）の突起５１５が形成されている。複数の突起５１５は、蓄電池本体４の上面縁部および下面縁部を覆う部分において対応した位置に設けられている。
【００５６】
複数の蓄電池モジュール１を重ね合わせた際に、下側の電池モジュール１の突起５１５と上側の電池モジュール１の対応する突起５１５とが当接することにより、上下２つの電池モジュール１の離間距離を規定することができる。これにより、下側の蓄電池本体４に上側からの不要な荷重が付与されることを阻止して、蓄電池本体４（特に、蓄電池セル２１）が破損することを好適に防止することができる。
【００５７】
さらに、各ブラケット部材５の蓄電池本体４の上面縁部を覆う部分には、その長手方向に沿って長孔（第１の貫通孔）５１３と、この長孔５１３の近傍に小孔５１４とが形成されている。各ブラケット部材５では、長孔５１３と小孔５１４との組が前後２組設けられている。なお、前側の組と後側の組とでは、長孔５１３と小孔５１４との位置関係が逆転している。
【００５８】
これらの長孔５１３および小孔５１４が、ブラケット部材５にハンドル６を着脱自在に取り付けるための取付部を構成している。
各ハンドル６は、図２に示すように、手を掛ける帯状の把持部６１と、把持部６１の両端から下方に延びる一対の脚部６２と、各脚部６２の下端部（把持部６１と反対側の端部）に設けられたＵ字状をなすフック部６３とを備えている。
【００５９】
また、把持部６１の前端および後端には、把持部６１の長手方向に沿って、把持部６１と一体的に形成された長尺の板片６１１および６１２が設けられている。板片６１１および６１２を設けることにより、把持部６１（ハンドル６）の機械的強度を向上させることができる。
また、板片６１１の所定の位置には、２つの貫通孔６１１ａが形成されている。
【００６０】
このようなハンドル６は、所定の形状に加工された一枚の板材を折り曲げることにより作製することができる。ハンドル６の構成材料としては、特に限定されないが、例えば、アルミニウムまたはアルミニウム合金、ステンレス鋼、鉄等が挙げられる。
【００６１】
ブラケット部材５の長孔５１３は、ハンドル６のフック部６３を通過可能な大きさを有している。また、小孔５１４は、フック部６３の先端を挿入して係止可能な大きさを有している。
【００６２】
このため、ハンドル６の各フック部６３を一対のブラケット部材５の対応する長孔５１３に挿通し、ハンドル６を蓄電池モジュール１に対して前方または後方に若干スライドさせた後、各フック部６３の先端が小孔５１４に挿入されるように、ハンドル６を蓄電池モジュール１から離間させることにより、ハンドル６の一端部が一方のブラケット部材５に、その他端部が他方のブラケット部材５に取り付けられる。これにより、図２の前方に示すように、蓄電池モジュール１は、ハンドル６を取り付けた取付状態となる。
【００６３】
このように、ハンドル６を蓄電池モジュール１に取り付けることにより、蓄電池モジュール１の移動作業や設置作業を、特に狭小スペースであっても、人手により容易に行うことができる。また、ハンドル６は、蓄電池モジュール１から取り外すこともできるため、複数の蓄電池モジュール１を積み重ねて設置する場合でも、蓄電池ユニット１００の大きさが増大することを防止することもできる。
【００６４】
蓄電池モジュール１の長辺（長手方向の長さ）は、好ましくは２００〜８００ｍｍ程度であり、短辺（短手方向の長さ）は、好ましくは１５０〜３００ｍｍ程度である。また、蓄電池モジュール１の高さは、好ましくは５０〜２００ｍｍ程度である。
【００６５】
以上説明したような蓄電池モジュール１が複数個積み重ねられた状態で、筐体２０に収納される。このため、蓄電池モジュール１の設置数を変更することにより、蓄電池ユニット１００の電池容量を調節することができる。
図１に示す構成では、５つの蓄電池モジュール１が、蓄電池モジュール１の短手方向に２列並べられ、紙面手前側に２つの蓄電池モジュール１が積み重ねられ、紙面奥側に３つの蓄電池モジュール１が積み重ねられて配置されている。
【００６６】
筐体２０は、図１に示すように、上部開口２０１ａを備える本体部２０１と、上部開口２０１ａを塞ぐようにして本体部２０１に着脱自在に固定される蓋部２０２とを備えている。また、本体部２０１は、枠体と、この枠体に、例えばネジ止め、溶接等により取り付けられた複数の板材２０１ｂ〜２０１ｄ（図１１参照）とで構成されている。 
なお、筐体２０は、図１に示す構成では直方体状をなすが、立方体状をなしていてもよい。
【００６７】
また、筐体２０の底部内面には、蓄電池モジュール１の下面凸部２４１が挿入されることにより、係合可能な凹部（第３の係合部）２０１２が設けられている。これにより、最も下側に位置する蓄電池モジュール１を、筐体２０（本体部２０１）に対して位置決めすることができる。
なお、第３の係合部は、凹部２０１２に代えて、上面凸部２３１と同様の構成の円環状の凸部や、下面凸部２４１の内側に挿入可能（係合可能）な円柱状の凸部で構成することもできる。
【００６８】
さらに、筐体２０の側部内面の下方には、図７に示すように、最も下側に位置する蓄電池モジュール１を本体部２０１（筐体２０）に対して位置決めする突部２０１３が設けられている。最も下側に位置する蓄電池モジュール１を本体部２０１内に設置する際には、一旦本体部２０１の底部に載置した後、スライドさせる操作を行うことが現実的である。
この際、図７に示すように、蓄電池モジュール１の角部を突部２０１３に当接させ、当該部分を支点として蓄電池モジュール１を回転させると、自然に所定の位置に誘導すること、すなわち位置決めすることができる。
【００６９】
本実施形態では、図１の紙面手前側に積み重ねられた複数の蓄電池モジュール１の上には、固定プレート３０が配置され、固定プレート３０が、図中矢印で示すネジにより、本体部２０１の枠体にネジ止めされる。これにより、複数の蓄電池モジュール１も本体部２０１の枠体に固定される。
かかる構成によれば、蓄電池モジュール１同士をネジ止めすることなく、一括して本体部２０１（筐体２０）に固定することができるため、部品点数の削減を図ることができるとともに、蓄電池ユニット１００の設置作業をより簡略化することができる。
【００７０】
また、固定プレート３０は、本体部２０１の枠体を構成し、互いに対向する部材同士を連結する梁としても作用するため、本体部２０１（筐体２０）の機械的強度を向上させることもできる。すなわち、固定プレート３０は、筐体２０を補強する機能も有する。
なお、図１の紙面奥側に積み重ねられた複数の蓄電池モジュール１を一括して、本体部２０１に固定する固定プレート３０を設けるようにしてもよい。
【００７１】
このような固定プレート３０には、蓄電池モジュール１の上面凸部２３１が挿入されることにより、係合可能な貫通孔（第４の係合部）３０１が設けられている。これにより、積み重ねられた複数の蓄電池モジュール１をより確実に筐体２０に固定することができる。
なお、第４の係合部は、貫通孔３０１に代えて、下面凸部２４１と同様の構成の円環状の凸部や、上面凸部２３１の内側に挿入可能（係合可能）な円柱状の凸部で構成することもできる。
【００７２】
また、固定プレート３０上には、制御モジュール１０が配置され、図中矢印で示すネジにより、固定プレート３０にネジ止めされる。
制御モジュール１０は、例えば、交流電流と直流電流との電力変換を行う機能、蓄電池モジュールの異常の有無をモニターする機能、蓄電池モジュール１の充電量をモニターする機能、異常時の電力遮断機能、外部機器との通信機能等を有している。
【００７３】
本実施形態では、このような制御モジュール１０が、蓄電池モジュール１の外形に包含される大きさを有している。かかる構成とすることにより、１つの蓄電池モジュール１を配置可能な大きさの空間が存在すれば、当該空間に制御モジュール１０を配置することができる。
【００７４】
このため、別途、制御モジュール１０を配置する空間を本体部２０１（筐体２０）内に設けることなく、蓄電池モジュール１とともに制御モジュール１０も一緒に本体部２０１内に収納することができる。したがって、本体部２０１内の限られた空間を有効利用して、本体部２０１の大型化を防止することができる。
【００７５】
このように、本体部２０１内に無駄な空間を極力残さない観点からは、蓄電池モジュール１および制御モジュール１０を含むモジュールの合計数は、偶数とすることが好ましい。これにより、図９（ａ）に示すように、蓄電池モジュール１および制御モジュール１０を密に配置することができる。
【００７６】
なお、制御モジュール１０は、蓄電池モジュール１の外形に包含される大きさ、すなわち、蓄電池モジュール１より小さい大きさであるため、本体部２０１内の制御モジュール１０の周囲には、空間が残ることになる。当該空間には、蓄電池モジュール１と制御モジュール１０とを接続する配線（ケーブル）、蓄電池モジュール１および／または制御モジュール１０と外部機器とを接続する配線（ケーブル）を配置することができるため、無駄がない。
【００７７】
ここで、蓄電池モジュール１の容積をＡ［ｍｍ３］とし、制御モジュール１０の容積をＢ［ｍｍ３］としたとき、Ｂ／Ａが０．５〜０．９程度であることが好ましく、０．６〜０．８程度であることがより好ましい。Ｂ／Ａの値を前記範囲に設定することにより、制御モジュール１０に必要かつ十分な機能を搭載することができるとともに、前述した配線（ケーブル）を配置するための十分な大きさを有する空間を確保することもできる。
【００７８】
本体部２０１内に、複数の蓄電池モジュール１および制御モジュール１０を収納した状態で、本体部２０１の上部開口２０１ａを塞ぐように、本体部２０１に蓋部２０２が装着される。
蓋部２０２は、長方形状（上部開口２０１ａに対応した形状）の平板で構成され、四つの角部にそれぞれ貫通孔２０２１が形成されている。図１中矢印で示すネジを貫通孔２０２１に挿通し、本体部２０１の枠体に設けられたネジ穴に螺合する。これにより、蓋部２０２が本体部２０１に固定される。
【００７９】
また、蓋部２０２の底面（内面）の所定の位置には、４つのネジ孔が形成されている。蓋部２０２の底面に２つのハンドル６を配置し、板片６１１に形成された貫通孔６１１ａにネジを挿通し、蓋部２０２の底面に形成されたネジ孔に螺合させることにより、図８に示すように、各ハンドル６を蓋部２０２に固定することができる。
【００８０】
この状態で、蓋部２０２を本体部２０１に固定することにより、２つのハンドル６も筐体２０内に収納することができる。これにより、ハンドル６が邪魔にならず、またデッドスペースの有効利用を図ることもできる。
なお、ハンドル６の蓋部２０２の底面への固定は、ネジ止めに限らず、例えば、クリップのような挟持部材による固定、ハンドル６に嵌合する嵌合部材による固定等であってもよい。
【００８１】
筐体２０および固定プレート３０の構成材料としては、それぞれ、例えば、アルミニウムまたはアルミニウム合金、ステンレス鋼、鉄等が挙げられる。かかる材料で筐体２０および固定プレート３０を構成することにより、これらを介した放熱効果も期待できる。
【００８２】
このような蓄電池ユニット１００によれば、各蓄電池モジュール１の構成は、同一であるため、２つのハンドル６を複数の蓄電池モジュール１において共用することができ、利便性が高い。
なお、本体部２０１の内面に、高さ方向に沿ってガイドを設けるようにしてもよい。このガイドにブラケット５の板片５１１を沿わせて、蓄電池モジュール１を本体部２０１内に誘導することにより、本体部２０１に対する蓄電池モジュール１の位置決めが容易になる。
【００８３】
また、図９（ｂ）〜（ｄ）および図１０（ａ）〜（ｃ）に示すように、モジュールを配置するようにしてもよい。
図９（ｂ）では、５つの蓄電池モジュール１および１つの制御モジュール１０を含む６つ（偶数）のモジュールを配置する例が示されている。この例では、６つのモジュールを蓄電池モジュール１の短手方向に３列並べ、２段積み重ねて配置している。
【００８４】
図９（ｃ）では、３つの蓄電池モジュール１および１つの制御モジュール１０を含む４つ（偶数）のモジュールを配置する例が示されている。この例では、４つのモジュールを蓄電池モジュール１の短手方向に２列並べ、２段積み重ねて配置している。
また、図９（ｄ）では、１つの蓄電池モジュール１および１つの制御モジュール１０を含む２つ（偶数）のモジュールを配置する例が示されている。この例では、２つのモジュールを蓄電池モジュール１の短手方向に並べて配置している。
【００８５】
図１０（ａ）〜（ｃ）では、蓄電池モジュール１および制御モジュール１０を含む複数のモジュールを蓄電池モジュール１の長手方向に並べる例が示されている。
図１０（ａ）では、７つの蓄電池モジュール１および１つの制御モジュール１０を含む８つ（偶数）のモジュールを配置する例が示されている。この例では、８つのモジュールを蓄電池モジュール１の短手方向および長手方向にそれぞれ２列並べ、２段積み重ねて配置している。
【００８６】
図１０（ｂ）では、３つの蓄電池モジュール１および１つの制御モジュール１０を含む４つ（偶数）のモジュールを配置する例が示されている。この例では、４つのモジュールを蓄電池モジュール１の短手方向および長手方向にそれぞれ２列並べて配置している。
また、図１０（ｃ）では、１つの蓄電池モジュール１および１つの制御モジュール１０を含む２つ（偶数）のモジュールを配置する例が示されている。この例では、２つのモジュールを蓄電池モジュール１の長手方向に並べて配置している。
【００８７】
なお、蓄電池モジュール１および制御モジュール１０を含むモジュールの合計数は、偶数であることが好ましいが、制御モジュール１０の数は、１つに限定されることはなく、２以上であってもよい。例えば、２つの蓄電池モジュール１と２つの制御モジュール１０を含む４つのモジュールの組み合わせとしてもよいし、４つの蓄電池モジュール１と２つの制御モジュール１０を含む６つのモジュールの組み合わせとしてもよい。
【００８８】
また、制御モジュール１０は、蓄電池モジュール１の外形に包含される大きさを有していればよく、その外形は、直方体状に限らず、例えば、立方体状、円盤状、楕円盤状等の如何なる形状であってもよい。
筐体２０のサイズは、例えば、各蓄電池モジュール１のサイズ、蓄電池モジュール１および制御モジュール１０を含むモジュールの設置数、モジュールの配置方法等に応じて適宜設定されるため、特に限定されるものではない。
【００８９】
ただし、筐体２０（本体部２０１）は、次の条件Ｉ〜IIIのうちの１つを満足することが好ましく、２つを満足することがより好ましく、３つを満足することがさらに好ましい。
条件Ｉ：蓄電池モジュール１の短手方向の長さをＷ１［ｍｍ］とし、筐体２０の内形のモジュールの配列方向に沿った長さをＷ２［ｍｍ］としたとき、Ｗ２−ｍＷ１が０〜５０程度であることが好ましく、１０〜３０程度であることがより好ましい。ただし、ｍは、蓄電池モジュール１の短手方向に並べられた蓄電池モジュール１の最大個数である。
【００９０】
条件II：蓄電池モジュール１の長手方向の長さをＬ１［ｍｍ］とし、筐体２０の内形のモジュールの配列方向に沿った長さをＬ２［ｍｍ］としたとき、Ｌ２−ｎＬ１が０〜５０程度であることが好ましく、１０〜３０程度であることがより好ましい。ただし、ｎは、蓄電池モジュールの長手方向に並べられた蓄電池モジュール１の最大個数である。
条件III：蓄電池モジュール１の高さをＨ１［ｍｍ］とし、筐体２０の内形の高さをＨ２［ｍｍ］としたとき、Ｈ２−ｏＨ１が０〜５０程度であることが好ましく、１０〜３０程度であることがより好ましい。ただし、ｏは、積み重ねられた蓄電池モジュール１の最大個数である。
【００９１】
以上のような条件Ｉ〜IIIのうちの少なくとも１つを満足することにより、蓄電池モジュール１および制御モジュール１０を筐体２０内に設置する作業をより円滑に行うことができるようになるとともに、前述したような配線（ケーブル）やハンドル６を収納するための必要かつ十分な空間を筐体２０内に確保することができる。
【００９２】
以上のような蓄電池ユニット１００において、筐体２０には、図１１〜図１３に示すように、化粧カバー４０が着脱自在に装着される。
図１１は、化粧カバーを筐体に装着する前の状態を示す斜視図、図１２は、板材を枠材に固定する前の状態を示す斜視図、図１３は、化粧カバーを筐体に装着した状態を示す斜視図である。
【００９３】
以下の説明では、図１１（ａ）を基準に、図１１（ａ）の紙面左手前側を「前」、紙面右奥側を「後」、紙面左奥側を「左」、紙面右手前側を「右」として方向を特定する。
したがって、図１１（ａ）では、板材２０１ｂが筐体２０の前壁を、板材２０１ｃが筐体２０の右壁を、板材２０１ｄが筐体２０の後壁を、板材２０１ｅが筐体２０の左壁をそれぞれ構成している。一方、図１１（ｂ）では、筐体２０を１８０°回転させた状態であるため、図１１（ａ）と前後が逆転している。
【００９４】
図１１（ａ）および（ｂ）に示すように、板材２０１ｃには、各蓄電池モジュール１のコネクタ３１、３２に接続され、束ねられたケーブル（電気ケーブルおよび信号ケーブル）を外部に引き出すための貫通孔２０１４、２０１５が形成されている。
また、板材２０１ｃの上側および下側には、それぞれ横長の通気口２０１６ａ、２０１６ｂが形成されている。通気口２０１６ａ、２０１６ｂを介して、筐体２０内の空気（熱）が外部に排出される。
【００９５】
板材２０１ｃには、上辺に沿って設けられ、側方に突出する突出片２０１７が形成されている。この突出片２０１７は、板材２０１ｃの上辺のほぼ全長にわたって設けられ、その中央部には、貫通孔２０１８が形成されている。
突出片２０１７に、化粧カバー４０を係止することにより、化粧カバー４０を筐体２０に装着することができる。この状態で板材２０１ｃとともに、貫通孔２０１４、２０１５を介して引き出されたケーブル（図示せず）も覆い隠すことができ、見栄えがよい。
【００９６】
化粧カバー４０は、帯状の枠材４１と、枠材４１に着脱自在に固定される板材４２とを備えている。枠材４１は、筐体２０に装着した状態で、板材２０１ｃの上辺に沿って位置する上部４１１と、縦辺（前面側の縦辺）に沿って位置する前部４１２とを有し、全体としてＬ字状をなしている。
また、枠材４１は、その幅方向の両側に対称的に設けられ、図１２に示すように、板材４２を固定するための固定部４１３も有している。
【００９７】
各固定部４１３は、上部４１１から下方に向かって突出する板片４１４と、前部４１２から後方に向かって突出する板片４１５とを備えている。板片４１４は、板材４２の厚さ分だけ上部４１１の内側にズレた位置に設けられている。
また、板片４１４は、その下端部に幅が狭くなった部分を有しており、当該部分を板材２０１ｃに設けられた突出片２０１７の貫通孔２０１８に挿入可能となっている。これにより、化粧カバー４０を筐体２０に装着することができる。すなわち、板片４１４は、枠材４１を筐体２０に装着する際の装着部としても機能する。
【００９８】
また、板片４１４には、所定の２箇所にネジ孔４１４ａが形成されている。板片４１５は、その下端部がＬ字状に屈曲しており、その先端面４１５０にネジ孔４１５ａが形成されている。
一方、板材４２には、ネジ孔４１４ａと対応する上部の箇所に貫通孔４２１が形成され、ネジ穴４１５ａと対応する下部の箇所に貫通孔４２２ａと貫通孔４２２ｂとが形成されている。
【００９９】
図１１（ａ）および図１２（ａ）に示すように、板材２０１ｃが右側（一方の側）になるように筐体２０を配置した状態では、ネジ４３を板材４２の貫通孔４２１および貫通孔４２２ａに挿通し、右側のネジ穴４１４ａおよびネジ穴４１５ａに螺号させる、これにより、板材４２を枠材４１の右側の固定部４１３に固定することができる、この状態で、板片４１４の下端部を突出片２０１７の貫通孔２０１８に挿入することにより、化粧カバー４０を、図１３（ａ）に示すように、板材２０１ｂを前壁として配置した状態の筐体２０の右側に装着することができる。
【０１００】
一方、図１１（ｂ）および図１２（ｂ）に示すように、筐体２０を板材２０１ｃが左側（一方の側と反対の他方の側）になるように配置した状態では、板材４２を前後反転（板材４２の同一面が枠材４１側になるように反転）させ、ネジ４３を板材４２の貫通孔４２１および貫通孔４２２ｂに挿通し、左側のネジ穴４１４ａおよび４１５ａに螺号させる、これにより、板材４２を枠材４１の左側（異なる側）の固定部４１３に固定することができる、この状態で、板片４１４の下端部を突出片２０１７の貫通孔２０１８に挿入することにより、化粧カバー４０を、図１３（ｂ）に示すように、板材２０１ｄを前壁として配置した状態の筐体２０の左側に装着することができる。
【０１０１】
また、図１２に示すように、板材４２は、化粧カバー４０を筐体２０に装着した状態で内側になる面に、一対の突出部４２４を有している。化粧カバー４０を筐体２０に装着した状態で、一対の突出部４２４が筐体２０の板材２０１ｃ（側壁）と当接することにより、これらの離間距離を規定することができる。これにより、ケーブルを収納するスペースを確実に確保することができる。
【０１０２】
ここで、蓄電池ユニット１００を設置する場所によっては、ケーブルの引き回しの関係等で、筐体２０を前後反転して配置せざるを得ない場合がある。このような場合でも、化粧カバー４０によれば、板材２０１ｃの向き（右側または左側）に応じて、枠材４１に対する板材４２の取り付け方向を変更するだけで、左側用または右側用とすることができる。このため、別途、２種類の化粧カバーを用意する必要がなく、利便性が高い。
【０１０３】
また、枠材４１がＬ字状をなすため、化粧カバー４０を右側用または左側用として組み立てても、化粧カバー４０の下側および後側には、必ず開口部が形成される。このため、化粧カバー４０を筐体２０に装着する際に、化粧カバー４０とケーブルとが干渉すること、すなわち、ケーブルが邪魔になることもない。
【０１０４】
このような化粧カバー４０（枠材４１および板材４２）のサイズは、筐体２０のサイズに応じて設定される。なお、枠材４１の幅は、例えば、筐体２０のサイズと蓄電池ユニット１００の設置スペースのサイズとの関係等に応じて設定されるため、特に限定されないが、好ましくは３０〜１００ｍｍ程度である。
【０１０５】
なお、蓄電池ユニット１００では、筐体２０外からケーブルを貫通孔２０１４、２０１５に挿通して、筐体２０内の蓄電池モジュール１や制御モジュール１０に接続する構成でなくてもよい。例えば、筐体２０内で蓄電池モジュール１や制御モジュール１０に接続した第１のケーブルの第１のコネクタを貫通孔２０１４、２０１５に挿入および固定し、筐体２０外の第２のケーブルの第２のコネクタを第１のコネクタに接続する構成とすることもできる。後者の場合、蓄電池モジュール１、制御モジュール１０等を筐体２０内に設置して、これらを組み立てた後、対応する第１のコネクタと第２のコネクタとを接続すればよいので、蓄電池ユニット１００の設置作業をより簡便に行うことができる。
【０１０６】
以上説明したような蓄電池ユニット１００は、例えば、階段下、クローゼット等の屋内の比較的狭い空間に設置（配置）される。前述したように、蓄電池ユニット１００では、蓄電池モジュール１および制御ユニット１０を、上部開口２０１ａを介して本体部２０１（筐体２０）内に設置する構成である。このため、蓄電池ユニット１００（筐体２０）の高さと、蓄電池ユニット１００を設置する空間の高さとの関係が重要となる。
【０１０７】
図１４は、蓄電池ユニットを設置すべき空間に配置した状態を示す正面図である。ここで、本発明では、筐体２０の高さをＸ１［ｍｍ］とし、図１４中斜線を付して示す筐体２０を設置する空間Ｓの高さ（図示の構成では、クローゼット内の中間棚の下面と床面との間の離間距離）をＸ２［ｍｍ］としたとき、Ｘ２／Ｘ１が１．５〜３．５程度（好ましくは１．７５〜３．２５程度）となるように設計する。
【０１０８】
特に、Ｘ２とＸ１との差（Ｘ２−Ｘ１）が３００〜１，５００程度であることが好ましく、５００〜１，２００程度であることがより好ましい。Ｘ１とＸ２とが前記関係を満足することにより、本体部２０１の上方に十分な大きさの隙間を確保することができる。このため、蓄電池モジュール１および制御ユニット１０を、上部開口２０１ａを介して本体部２０１内に容易かつ確実に設置することができる。
【０１０９】
また、ハンドル６を取り付けた状態の蓄電池モジュール１の最大高さをＸ３［ｍｍ］（図２参照）としたとき、（Ｘ２−Ｘ１）／Ｘ３が１．５〜３．５程度であることが好ましく、１，７５〜３．２５程度であることがより好ましい。前述したように、蓄電池モジュール１を本体部２０１内に設置する際には、蓄電池モジュール１にバンドル６を取り付け、作業者がハンドル６を把持して蓄電池モジュール１を移動および設置する作業を行う。
【０１１０】
このため、（Ｘ２−Ｘ１）／Ｘ３を前記範囲に設定することにより、ハンドル６およびハンドル６を把持した作業者の手や腕が、例えばクローゼット内の中間棚と干渉することを防止することができる。その結果、蓄電池モジュール１および制御ユニット１０を、上部開口２０１ａを介して本体部２０１内により容易かつ確実に設置することができる。
【０１１１】
さらに、化粧カバー４０を筐体２０に取り付けた状態で、筐体２０と化粧カバー４０との合計の幅をＹ１［ｍｍ］とし、空間Ｓの幅をＹ２［ｍｍ］としたとき、Ｙ２／Ｙ１が１．０５〜１．５程度であることが好ましく、１．１〜１．４程度であることがより好ましい。特に、Ｙ２とＹ１との差（Ｙ２−Ｙ１）が３０〜１５０程度であることが好ましく、５０〜１２０程度であることがより好ましい。
【０１１２】
このように蓄電池ユニット１００と空間Ｓを規定する壁部との隙間の大きさが小さい空間Ｓにおいては、空間Ｓの正面から蓄電池ユニット１００を設置する作業を行う必要がある。したがって、このような場合に、Ｘ１とＸ２とを前記関係を満足するように設定して、筐体２０（本体部２０１）の上方に十分な隙間を確保することにより、蓄電池ユニット１００の設置作業の更なる円滑化を図ることができる。
【０１１３】
このような本体部２０１の底部外面（底面）には、空間Ｓを規定する床面に対する摺動性を向上させるための処理が施されていることが好ましい。かかる処理を施しておけば、空間Ｓに本体部２０１を設置する際に、床面上で本体部２０１をスライドさせる作業を行うことで、本体部２０１を円滑に空間Ｓに収納（設置）することができる。また、この作業の際に床面が傷付くことを防止することもできる。
【０１１４】
なお、床面に対する摺動性を向上させるための処理としては、例えば、本体部２０１の底部外面が低摩擦となる処理（低摩擦化処理）が挙げられる。低摩擦化処理としては、低摩擦係数を有する部材（例えばフッ素系樹脂で構成される部材）の底部外面への貼着、比較的厚さの大きい織布や不織布の底部外面への貼着、底部外面の表面粗さの調整、底部外面に対する硬質メッキ処理等が挙げられる。
このような低摩擦化処理は、天板２３、上面凸部２３１、底板２４、下面凸部２４１のような摺動部に施すようにしてもよい。
【０１１５】
以上のような蓄電池ユニット１００は、さらに、追加の構成を有していてもよい。
図１５は、メジャーを備える筐体を示す側面図、図１６および図１７は、それぞれキャスターを備える筐体を示す側面図（ａ）および平面図（ｂ）である。
図１５に示す筐体２０では、貫通孔２０１４、２０１５が形成された側壁（板材２０１ｃ）に、長尺状のメジャー５０が設けられている。
【０１１６】
このメジャー５０には、その長手方向に沿って目盛５０１が形成され、下端部にガイドピン５０２が突出して形成されている。
また、板材２０１ｃには、メジャー５０を収納可能な収納部２０１９が設けられている。この収納部２０１９には、その長手方向（上下方向）に沿って、メジャー５０のガイドピン５０２が挿入されるガイド孔２０１９ａが形成されている。
【０１１７】
これにより、メジャー５０を収納部２０１９に対してスライド操作することができる。
かかる構成により、メジャー５０を上方に向かってスライド操作することにより、メジャー５０が筐体２０から突出した状態とすることができる。一方、メジャー５０を下方に向かってスライド操作することにより、メジャー５０が収納部２０１９に収納され、筐体２０に対して埋没した状態とすることができる。
すなわち、メジャー５０は、筐体２０に対して出没自在に設けられている。
【０１１８】
また、メジャー５０を上下方向にスライド操作する際には、ガイドピン５０２がガイド孔２０１９ａに沿って移動する。
そして、メジャー５０を最も上方にスライドさせたとき、ガイドピン５０２がガイド孔２０１９ａの上側端部に当接し、メジャー５０を最も下方にスライドさせたとき、ガイドピン５０２がガイド孔２０１９ａの下側端部に当接する。これにより、メジャー５０が収納部２０１９から離脱することが阻止される。すなわち、メジャー５０のガイドピン５０２と収納部２０１９のガイド孔２０１９ａとにより、メジャー５０の収納部２０１９からの離脱を阻止する離脱阻止機構が構成される。
【０１１９】
このようなメジャー５０を設けることにより、設置作業に不慣れな作業者であっても、空間Ｓが蓄電池ユニット１００を設置するのに十分な高さを有するのか否かを確実に把握することができる。
なお、メジャー５０は、紐状または帯状の可撓性を有する線材で構成することもできる。この場合、かかる線材は、本体部２０１（筐体２０）内に収納することができる。
【０１２０】
図１６および図１７に示す筐体２０では、それぞれ本体部２０１の底部から下方（鉛直下方）に向かって突出する複数（図示の構成では、４つ）のキャスター６０２が設けられている。
なお、複数のキャスター６０２は、本体部２０１の底部に着脱不能に固定されていてもよいが、図１６および図１７に示す構成では、複数のキャスター６０２が本体部２０１に対して着脱自在に構成されている。
【０１２１】
具体的には、図１６に示す構成では、本体部２０１は、その底部の四隅にそれぞれ形成された底部開口２０１１と、本体部２０１の内側から各底部開口２０１１を塞ぐ板片６０１とを有している。各板片６０１の中央部には、キャスター６０２が固定されている。
また、各板片６０２の四隅には、貫通孔６０１１が形成されている。ネジを貫通孔６０１１に挿通して、本体部２０１の底部に設けられたネジ穴に螺合させることにより、各板片６０２を本体部２０１の底部に着脱自在に固定することができる。
【０１２２】
かかる構成によれば、本体部２０１にキャスター６０２を固定した状態では、本体部２０１を空間Ｓに円滑に移動（スライド）させることができる。
一方、本体部２０１を空間Ｓの所定の位置に移動させた後、キャスター６０２を本体部２０１から取り外した状態では、本体部２０１を空間Ｓの所定の位置に確実に配置（固定）することができる。
【０１２３】
本体部２０１（筐体２０）は、前述したように、金属材料で構成されるため、比較的大きい重量を有するが、本体部２０１に対して着脱自在なキャスター６０２を設けることにより、蓄電池ユニット１００の空間Ｓへの設置作業を円滑に行うことができる。
特に、キャスター６０２を本体部２０１の内側から取り外すことができるため、この設置作業の作業性がより高まる。
【０１２４】
一方、図１７に示す構成では、本体部２０１は、その底部の右端部および左端部にそれぞれ形成された細長い底部開口２０１１と、本体部２０１の内側から各底部開口２０１１を塞ぐ板片６０１とを有している。各板片６０１の前後の２箇所には、キャスター６０２が固定されている。
また、各板片６０２の右縁部および左縁部には、その長手方向に沿って複数（図示の構成では、６つ）の貫通孔６０１１が形成されている。
【０１２５】
図１７に示す構成によっても、図１６に示す構成と同様の作用・効果が得られる。
特に、図１７に示す構成では。１枚の板片６０２を本体部２０１の底部から取り外す作業で、２つのキャスター６０２を同時に本体部２０１から取り外すことができるため、その効率をより高めることができる。
【０１２６】
以上、本発明の蓄電池ユニットについて説明したが、本発明は、これらに限定されるものではない。
例えば、本発明の蓄電池ユニットは、それぞれ他の任意の構成を有していてもよいし、同様の機能を発揮する任意の構成と置換されていてよい。
【符号の説明】
【０１２７】
１          蓄電池モジュール
２          積層部
２１        蓄電池セル
２１１      端子用タブ
２２        支持枠
２３        天板
２３１      上面凸部
２３２      上面リブ
２４        底板
２４１      下面凸部
２４２      下面リブ
３          電気接続部
３１、３２  コネクタ
４          蓄電池本体
５          ブラケット部材
５１        本体部
５１１      板片
５１２      大開口
５１３      長孔
５１４      小孔
５１５      突起
５２        板片
５２１      貫通孔
５３        板片
５３１      貫通孔
６          ハンドル
６１        把持部
６１１      板片
６１１ａ    貫通孔
６１２      板片
６２        脚部
６３        フック部
１００      蓄電池ユニット
１０        制御モジュール
２０        筐体
２０１      本体部
２０１ａ    上部開口
２０１ｂ〜２０１ｅ  板材
２０１１    底部開口
２０１２    凹部
２０１３    突部
２０１４、２０１５  貫通孔
２０１６ａ、２０１６ｂ  通気口
２０１７    突出片
２０１８    貫通孔
２０１９    収納部
２０１９ａ  ガイド孔
２０２      蓋部
２０２１    貫通孔
３０        固定プレート
３０１      貫通孔
４０        化粧カバー
４１        枠材
４１１      上部
４１２      前部
４１３      固定部
４１４      板片
４１４ａ    ネジ孔
４１５      板片
４１５０    先端面
４１５ａ    ネジ孔
４１５１    凸部
４２        板材
４２１      貫通孔
４２２ａ、４２２ｂ  貫通孔
４２４      突出部
５０        メジャー
５０１      目盛
５０２      ガイドピン
６０１      板片
６０１１    貫通孔
６０２      キャスター
Ｓ          空間
【図１】
2018195428.tif 000003
【図２】
2018195428.tif 000004
【図３】
2018195428.tif 000005
【図４】
2018195428.tif 000006
【図５】
2018195428.tif 000007
【図６】
2018195428.tif 000008
【図７】
2018195428.tif 000009
【図８】
2018195428.tif 000010
【図９】
2018195428.tif 000011
【図１０】
2018195428.tif 000012
【図１１】
2018195428.tif 000013
【図１２】
2018195428.tif 000014
【図１３】
2018195428.tif 000015
【図１４】
2018195428.tif 000016
【図１５】
2018195428.tif 000017
【図１６】
2018195428.tif 000018
【図１７】
2018195428.tif 000019